(57)【特許請求の範囲】
【請求項１】
光学ヘッドからの光ビームを用いてディスクに記録データを記録するディスク記録装置であって、入力データに応じてディスクに記録する記録データをエンコードするエンコーダと、ディスクへの記録データの記録停止及び記録開始を判断する記録判断手段と、該記録判断手段により記録データの記録開始が判断された際にディスクへの記録データの追記を開始する記録開始位置を検出する記録開始位置検出手段と、前記記録判断手段により記録データの記録開始が判断された際にディスクに追記する記録データを記録停止直前にディスクに記録された記録済みの記録データに同期させる同期設定手段と、システム制御の動作クロックとなるシステムクロックを発生するシステムクロック発生回路とを備え、該システムクロック発生回路はディスクに記録された記録済みの記録データを形成するピットを読み取った読み取りデータからビットクロックを抽出するＰＬＬ回路を有すると共に、その読み取りデータと記録時におけるエンコーダの動作クロックとなる基準クロックとを選択的に前記ＰＬＬ回路に入力する第１選択回路と、前記ＰＬＬ回路からの出力クロックと前記ＰＬＬ回路を経由しない前記基準クロックとを選択的に出力する第２選択回路とを有し、前記第１選択回路はディスクに記録済みの記録データを再生モードによりトレースする際に読み取りデータを選択すると共に、前記記録判断手段により記録データの記録開始が判断された際に前記基準クロックを選択し、前記第２選択回路は前記ＰＬＬ回路が前記基準クロックによりロックしたことが検出されると、前記ＰＬＬ回路を経由しない前記基準クロックを出力する状態に切り替えられることを特徴とするディスク記録装置。
【発明の詳細な説明】
【０００１】
【発明の属する技術分野】
本発明は、光学ヘッドからの光ビームを用いてディスクに記録データを記録するディスク記録装置に関し、特に、記録データの連続性を確保してディスクに追記可能としたディスク記録装置に関する。
【０００２】
【従来の技術】
光学ヘッドからの光ビームを用いてディスクにデジタルの記録データを記録するディスク記録装置としては、ＣＤ（Compact Disc）ファミリーのＣＤ−Ｒ（Recordable）ドライブやＣＤ−ＲＷ（ReWritable）ドライブが良く知られている。
【０００３】
このようなディスク記録装置においては、記録速度やデータストリームの条件でバッファアンダーラン・エラーが発生し、ディスクに記録する記録データの生成が途切れると、記録動作が停止される。
【０００４】
ＣＤ−Ｒのようなライトワンスメディアのディスクの場合、記録動作が停止されると、そのディスクが使用できなくなってしまう。
【０００５】
また、ＣＤ−ＲＷのような上書き可能なディスクの場合、記録動作が停止されると、その停止された記録を最初からやり直す必要があった。
【０００６】
パケット単位で記録が行えるパケットライト方式も存在するが、このパケットライト方式はパケット間の接続のために７ブロックもの繋ぎブロックを形成する必要があり、ディスクの記録容量の無駄が多いという問題がある。
【０００７】
その為、記録動作の停止後、記録停止前にディスクに記録済みの記録データに繋ぎブロック無しに連続して記録データを追記することが可能であれば、トラックアットワンスあるいはセッションアットワンス方式の場合、ＣＤ−ＲＯＭドライブとの互換性の点で好ましく、また、パケットライト方式他追記時に記録データの繋ぎに繋ぎブロックを必要とする記録方式の場合、ディスクの記録容量の有効活用の点で好ましく、このように繋ぎブロック無しに連続して記録データを追記することが可能なディスク記録装置が望まれている。
【０００８】
【発明が解決しようとする課題】
ところで、前述のように連続して記録データを追記しようとする場合、ディスクに記録済みの記録データに連続して新たな記録データを追記するようにすると共に、前記記録済みの記録データに同期させて追記を開始する必要があり、記録データの繋ぎ部分の処理が困難である。
【０００９】
追記する記録データを記録済みの記録データに同期させるには、記録済みの記録データを形成するピットを読み取ってその読み取りデータからビットクロックを抽出し、追記開始時にそのビットクロックに同期させた基準クロックを発生し、その基準クロックを用いて記録データの記録を開始する必要がある。
【００１０】
すなわち、ディスクの記録及び再生に関わる動作全般の動作クロックとなるシステムクロックは、追記する記録データを記録済みの記録データに同期させる動作中においてビットクロックである状態から、追記開始と同時にビットクロックに同期させた基準クロックに切り替える必要がある。
【００１１】
前記システムクロックを追記開始時に選択回路によりビットクロックから動作クロックに直接切り替えると、位相偏差及び速度偏差により追記による記録データの繋ぎの前後においてクロック成分の乱れを含んで記録データが追記され、再生時に追記による記録データの繋ぎの前後において再生エラーが増大するという問題があった。
【００１２】
また、選択回路によりビットクロックから動作クロックに直接切り替えると、その切り替え時にピーク性の信号の乱れが発生するという問題があった。
【００１３】
【課題を解決するための手段】
本発明は、ディスクへの記録データの追記を開始する記録開始位置を記録開始位置検出手段により検出し、同時に同期設定手段により記録済みの記録データに同期させて追記する記録データを生成し、記録開始位置から記録データの追記を開始するようにする。そして、システムクロックを発生するシステムクロック発生回路に、ディスクに記録された記録済みの記録データを形成するピットを読み取った読み取りデータからビットクロックを抽出するＰＬＬ回路と、その読み取りデータと記録時におけるエンコーダの動作クロックとなる基準クロックとを選択的に前記ＰＬＬ回路に入力する第１選択回路と、前記ＰＬＬ回路からの出力クロックと前記ＰＬＬ回路を経由しない前記基準クロックとを選択的に出力する第２選択回路とを具備し、ディスクに記録済みの記録データを再生モードによりトレースする際に読み取りデータを選択するべく前記第１選択回路を切り替えると共に、前記記録判断手段により記録データの記録開始が判断された際に前記基準クロックを選択するべく前記第１選択回路を切り替え、かつ、前記ＰＬＬ回路が前記基準クロックによりロックしたことが検出されると、前記ＰＬＬ回路を経由しない前記基準クロックを選択するべく前記第２選択回路を切り替える。これにより１系統のＰＬＬ回路により円滑にシステムクロックが読み取りデータによる再生されるビットクロックから基準クロックに同期する状態に切り替わるようにすると共に、システムクロックを前記ＰＬＬ回路を経由した基準クロックから前記ＰＬＬ回路を経由しない基準クロックに切り替えるようにしている。
【００１４】
【実施例】
図１は本発明に係るディスク記録装置としてＣＤ−Ｒドライブの一実施例を示す回路ブロック図である。
【００１５】
図１において、１はディスクの信号トラックをトレースするレーザービームを出射し、ディスクに対して記録データの書き込み及び読み取りを行う光学ヘッドである。
【００１６】
２は前記光学ヘッド１により得られる受光出力のＲＦ信号（ラジオ周波信号）を増幅し、そのＲＦ信号を２値化するＲＦアンプ、３は光学ヘッド１により得られる各種受光出力をフィードバックし、光学ヘッド１から出射されるレーザービームをディスクの信号面に合焦させるフォーカシング制御及び前記レーザービームをディスクの信号トラックに追従させるトラッキング制御を行うと共に、光学ヘッド１自体をディスクの径方向に送るスレッド送り制御を行うヘッドサーボ回路である。
【００１７】
４はＲＦアンプ２から出力されるＲＦ信号の２値化データをビットクロックに同期してオーディオ専用のＣＤ−ＤＡディスクの信号フォーマットに規定される範囲の復調処理を行うＣＤ−ＤＡデコーダである。該ＣＤ−ＤＡデコーダ４は、入力されるＲＦ信号の２値化データから各種データを分離し、ＥＦＭ（Eight to Fourteen Modulation）データをＥＦＭ復調すると共に、具備されたフレーム同期検出手段５によりＥＦＭデータのフレーム（ＥＦＭフレーム）の先頭を示すフレーム同期信号を検出し、具備されたサブコード同期検出手段６によりＥＦＭフレームを９８個により構成されるサブコードにおける同期信号を検出し、具備されたサブコード復調手段７によりサブコードを復調する。
【００１８】
８はＣＤ−ＤＡデコーダ４により復調された復調データをＣＤ−ＲＯＭディスクの信号フォーマットに規定される範囲の復調処理を行うＣＤ−ＲＯＭデコーダである。該ＣＤ−ＲＯＭデコーダ８は、ＣＤ−ＲＯＭディスクの信号フォーマットに規定されるＣＤ−ＲＯＭデータの同期検出を行うと共に、ＣＤ−ＲＯＭデータ用の誤り検出符号のＥＤＣ（Error Detection Code）及び誤り訂正符号のＥＣＣ（Error Correction Code）に応じた誤り検出及び誤り訂正を行う。
【００１９】
９は接続端子１０を介して外部に接続されるパソコン等のホスト機器とのデータの受け渡しを制御するインタフェース、１１は該インタフェース９に入力される入力データをディスクに記録する記録データに変調するエンコーダである。該エンコーダ１１は、ＣＤ−ＲＯＭ規格に基づいて入力データにシンク、ヘッダ、ＣＤ−ＲＯＭデータ用の誤り検出符号のＥＤＣ及び誤り訂正符号のＥＣＣを付加するＣＤ−ＲＯＭエンコーダ部１２と、該ＣＤ−ＲＯＭエンコーダ部１２によりエンコードされたＣＤ−ＲＯＭデータにＣＤ−ＤＡ規格に基づいてＣＤ−ＤＡ方式の誤り訂正符号であるＣＩＲＣ（Cross Interleaved Reed-Solomon Code）処理を施すと共に、サブコードを付加し、かつＥＦＭ処理を施し、フレーム同期信号を付加するＣＤ−ＤＡエンコーダ部１３とを備えている。
【００２０】
１４は前記エンコーダ１１から出力されるＥＦＭデータの記録データに基づいて光学ヘッド１から発生させるレーザービームを制御する制御出力を発生するヘッド出力制御回路、１５は該ヘッド出力制御回路１４からの制御出力に応じてディスクへの記録を行うべく光学ヘッド１のレーザー光源を駆動するレーザー駆動回路である。前記レーザー駆動回路１５は記録時に光学ヘッド１のレーザー光源の発光出力がディスクへの記録に適切な記録レベル強度に設定され、前記レーザー駆動回路１５により光学ヘッド１のレーザー光源を発光された状態で記録データを構成する「１」信号をディスクに記録し、光学ヘッド１のレーザー光源の発光が停止された状態で記録データを構成する「０」信号をディスクに記録する。
【００２１】
１６はインタフェース９により入力される入力データをキャッシュし、エンコーダ１１によってディスクに記録する記録データに変調処理する際に使用されると共に、ディスクから読み取ったデータをキャッシュし、ＣＤ−ＤＡデコーダ４及びＣＤ−ＲＯＭデコーダ８によってそのデータを復調処理する際に使用されるバッファＲＡＭである。
【００２２】
１７はＲＦアンプ２を介して得られるディスクのプリグルーブ（Pre-groove）信号から22.05kHzのウォブル（wobble）成分を抽出し、ディスクの回転制御に必要な成分を生成すると共に、ウォブル成分からＡＴＩＰ（Absolute Time In Pre-groove）を復調するＡＴＩＰ復調回路１８を備えるウォブルデコーダである。
【００２３】
１９はディスクの記録及び再生に係るシステム制御を行うシステム制御回路である。該システム制御回路１９は、サブコード復調回路７により復調されたサブコード（サブＱデータ）における絶対時間情報のサブコードアドレス、及びＡＴＩＰ復調回路１８により復調されたＡＴＩＰにおける絶対時間情報のＡＴＩＰアドレスを選択的に参照してアクセスを制御するアクセス制御手段２０と、バッファＲＡＭ１６に対するデータの書き込み及び読み出しを制御するバッファ制御手段２１と、該バッファ制御手段２１によるバッファＲＡＭ１６のデータ備蓄容量に応じて、あるいは接続端子１０に接続されるホスト機器からの命令によりディスクへの記録データの記録停止を判断すると共に、ディスクへの記録データの記録開始を判断する記録判断手段２２と、該記録判断手段２２により記録開始の判断が行われた際に記録停止によりディスクに途切れて記録された記録データの終端に連続する位置をディスクの記録開始位置として検出する記録開始位置検出手段２３と、サブコード同期検出回路６により検出されるサブコード同期信号及びサブコード復調回路７により復調されるサブＱデータを用いて新たにディスクに記録する記録データを既にディスクに記録済みの記録データに同期させる同期設定手段２４とを備えている。
【００２４】
２５はディスクの記録及び再生に関わる動作全般の動作クロックとなるシステムクロックを発生するシステムクロック発生回路であり、該システムクロック発生回路２５はＲＦアンプ２から出力されるＥＦＭデータから抽出されるビットクロックと水晶発振器により構成される基準クロック発生回路２６から発生される水晶発振精度の基準クロックとをクロック切替手段２７による切替制御により選択的にシステムクロックとして発生する。
【００２５】
システムクロック発生回路２５は、図２に示す如く、基準クロック発生回路２６からの基準クロックとＲＦアンプ２から出力されるＥＦＭデータとを選択的に入力する第１選択回路２８と、該第１選択回路２８により選択された入力クロックと電圧制御発振器（ＶＣＯ）２９の発振クロックとを位相比較器３０により位相比較し、前記入力クロックとＶＣＯ２９からの発振クロックとの位相ズレに応じて該位相比較器３０から発生される電圧出力をローパスフィルタ（ＬＰＦ）３１により直流電圧とし、その直流電圧をＶＣＯ２９に帰還するＰＬＬ（Phase Lock Loop）回路と、前記ＶＣＯ２９から出力される発振クロックと基準クロック発生回路２６から発生される基準クロックとを選択的に出力する第２選択回路３２とから構成されている。
【００２６】
次に、このように構成されるディスク記録装置の記録動作について説明する。
【００２７】
接続端子１０に接続されるホスト機器からディスクへの記録が要求され、記録動作が実行されると、システムクロック発生回路２５はクロック切替手段２７により第２選択回路３２が基準クロック発生回路２６から発生される基準クロックを選択する状態に切り替えられ、記録系の各回路は基準クロックに同期して動作される状態になる。
【００２８】
接続端子１０に接続されるホスト機器から記録を要求するデータが送信されると、そのデータはインタフェース９により受信され、バッファＲＡＭ１６に書き込まれる。
【００２９】
インタフェース１０に受信データが受信され、バッファＲＡＭ１６に書き込まれたデータの備蓄量がエンコーダ１１によりエンコード処理を開始するデータ容量に達すると、バッファＲＡＭ１６からデータが読み出され、エンコーダ１１によりＥＦＭフレーム単位でディスクに記録するべき形態の記録データ（ＥＦＭデータ）に変調される。
【００３０】
光学ヘッド１によるトレース位置がディスクの記録開始位置に来ると、エンコーダ１１からＥＦＭフレーム単位で記録データが順次出力され、その出力された記録データに対応するＡＴＩＰ復調回路１８により復調されるＡＴＩＰアドレスのアドレスデータがシステム制御回路１９内に具備されるアドレスメモリ（図示せず）に順次更新されて記憶される。
【００３１】
レーザー駆動回路１５はヘッド出力制御回路１４によりエンコーダ１１から出力された記録データに基づいて光学ヘッド１のレーザー光源を駆動し、それにより記録データのディスクへの記録が行われてゆく。
【００３２】
ところで、インタフェース９に受信されるデータ量がディスクに記録される記録データの容量に対して不足する状態となり、エンコーダ１１から記録データが出力される平均のデータ転送レートに比べてエンコーダ１１に入力される入力データの平均のデータ転送レートが低速になると、バッファＲＡＭ１６に備蓄されるデータ容量が減少してくる。
【００３３】
この状態が続くと、やがてバッファＲＡＭ１６に備蓄されるデータ容量が所定量より減少し、バッファＲＡＭ１６がバッファアンダーラン状態になると判断され、記録判断手段２２によりディスクへの記録を停止する判断が行われる。
【００３４】
また、パケット単位、あるいはセッション毎にてディスクへの記録が行われている最中において、記録の区切りがつき、次に記録が要求されるデータがインタフェース９に受信されてバッファＲＡＭ１６に備蓄されるデータ容量がエンコーダ１１によりエンコード処理を開始するデータ容量に達するまで、記録判断手段２２によりディスクへの記録を停止する判断が行われる。
【００３５】
記録判断手段２２によりディスクへの記録停止が判断されると、エンコーダ１１よる入力データのエンコード処理動作の停止が実行されると共に、ヘッド出力制御回路１４からレーザー駆動回路１５を制御する制御出力の停止が行われ、光学ヘッド１から記録用に設定されたレーザービームの出射が停止され、ディスクへの記録が停止される。この際、記録データを繋ぐための繋ぎブロック（run-out）はエンコーダ１１により生成されず、この繋ぐブロックが記録されずにディスクへの記録が停止される。
【００３６】
次に記録が要求されるデータがインタフェース９に受信されてバッファＲＡＭ１６に備蓄されるデータ容量がエンコーダ１１によりエンコード処理を開始するデータ容量に達すると、記録判断手段２２によりディスクへの記録を開始する判断が行われる。
【００３７】
前記記録判断手段２２による記録開始の判断により、エンコーダ１１は新たに記録が要求されたデータのエンコード処理動作を開始する。
【００３８】
エンコーダ１１によるエンコード処理動作が開始される際、記録停止の直前にエンコード処理された最終データに続くデータからエンコード処理を開始する場合、エンコーダ１１に具備される内部ＲＡＭ３３に備蓄されるデータにより記録開始直後にエンコード処理されるデータに対してＣＩＲＣのインターリーブ長（ＥＦＭフレームで最大１０８フレーム）が確保されるので、必要に応じて記録停止直前に前記内部ＲＡＭ３３に備蓄されたデータを使用してエンコード処理を開始する。
【００３９】
ところで、前記記録判断手段２２によりディスクへの記録開始が判断されると、ヘッド出力制御回路１４により光学ヘッド１の発光出力が再生レベル出力に設定され、記録停止直前に記憶される最終のＡＴＩＰアドレスを参照してディスクに記録済みの記録データの最終端付近にアクセスされる。
【００４０】
そして、記録判断手段２２により記録開始の判断が行われると、記録開始位置検出手段２３は記録停止直前までにディスクに記録された記録データの最終端を検出し、その最終端に連続する未記録領域の先端を記録開始位置としてその記録開始位置の検出を行う。
【００４１】
この記録開始位置検出手段２３による記録開始位置の検出は、記録判断手段２２による記録開始の判断により記録データの最終端手前にアクセスされると、まず、光学ヘッド１により再生モードのトレース状態で記録停止直前に記憶される最終のサブコードアドレスを参照してそのサブコードアドレスの１つ手前のＥＦＭフレームまでアクセスし、その後、フレーム同期信号を検出することによりＥＦＭフレームのカウントを行って前記サブコードアドレスに対応するサブコードフレームの最終ＥＦＭフレームを検出し、その最終ＥＦＭフレームのフレーム同期信号が検出されたらビットクロックをカウントしてディスクに記録された記録データの終端位置を検出して行う。
【００４２】
ところで、ディスクが再生モードでトレースされ、システムクロック発生回路２５にＲＦアンプ２からのＥＦＭデータが入力されるようになると、クロック切替手段２７により第１選択回路２８がＲＦアンプ２から出力されるＥＦＭデータを選択する状態に切り替えられると共に、第２選択回路３２がＶＣＯ２９からの発振クロックを選択する状態に切り替えられる。
【００４３】
その為、ＲＦアンプ２からのＥＦＭデータが第１選択回路２８を介してＰＬＬ回路に入力され、該ＰＬＬ回路によりＥＦＭデータからビットクロックが抽出されると共に、そのＰＬＬ回路により抽出されたビットクロックが第２選択回路３２を介して出力されるようになり、システムクロック発生回路２５はビットクロックのシステムクロックを発生する状態になる。
【００４４】
ディスクの記録開始位置が検出される際に再生モードのトレース状態によりアクセスされると、ＣＤ−ＤＡデコーダ４によるデコード処理動作はシステムクロック発生回路２５から発生されるシステムクロック、すなわちビットクロックに同期して行われるが、同時に同期設定手段２４によりエンコーダ１１によるエンコード処理動作も前記ビットクロックに同期して行われるようになり、ディスクに記録済みの記録データに合わせてエンコーダ１１から生成される記録データの同期がとられる。
【００４５】
ディスクの記録開始位置が検出されると、クロック切替手段２７により第１選択回路２８が基準クロック発生回路２６により発生される基準クロックを選択する状態に切り替えられると共に、第２選択回路３２はＶＣＯ２９からの発振クロックを選択する状態に保持される。
【００４６】
その為、ＰＬＬ回路のＶＣＯ２９からの発振クロックがビットクロックから徐々に基準クロックに同期され、この基準クロックに同期したＶＣＯ２９からの発振クロックが第２選択回路３２を介して出力されるようになる。
【００４７】
その後、前記ＰＬＬ回路がロック状態になり、ＶＣＯ２９からの発振クロックが基準クロックに同期した状態になると、クロック切替手段２７により第２選択回路３２は基準クロック発生回路２６により発生される基準クロックを直接選択する状態に切り替えられる。
【００４８】
すなわち、システムクロック発生回路２５はビットクロックから徐々に基準クロックに同期されるＰＬＬ回路から出力される発振クロックをシステムクロックとして発生し、そのＰＬＬ回路から出力される発振クロックが基準クロックに同期されると、ＰＬＬ回路を介さない基準クロック発生回路２６により直接発生される基準クロックをシステムクロックとして発生する。
【００４９】
このようにしてエンコーダ１１の動作クロックは、ディスクの記録開始位置が検出された時点で基準クロックに同期するシステムクロックに切り替えられ、エンコーダ１１によるエンコード処理動作が基準クロックに同期して行われるようになる。
【００５０】
一方、ディスクの記録開始位置が検出されると、ヘッド出力制御回路１４はエンコーダ１１により出力が準備された追記する記録データに基づいて制御出力を発生するので、ディスクに記録済みの記録データに同期してディスクの未記録領域の先頭から追記する記録データの記録が開始される。
【００５１】
したがって、ディスクに追記される記録データは、記録済みの記録データのピットから再生されたビットクロックに同期する状態から徐々に基準クロックに同期する状態で書き込まれる。
【００５２】
その為、ディスクへの追記による記録データの繋ぎの前後で、記録データがクロック成分の急激な乱れを含んで記録されることが防止される。
【００５３】
また、システムクロック発生回路２５から発生されるシステムクロックは、ＰＬＬ回路を介した基準クロックからＰＬＬ回路を介さない基準クロック発生回路２６により直接発生される基準クロックに切り替えられ、ＰＬＬ回路を介すことにより生じるジッター成分による記録動作の悪影響が防止される。
【００５４】
ところで、追記する記録データの記録が開始される際、記録データを繋ぐための繋ぎブロック（LINK及びrun-in）はエンコーダ１１により生成されず、この繋ぐブロックが記録されずにディスクへの記録が開始される。
【００５５】
その為、追記される記録データの先頭の繋ぎ部分に繋ぎブロックを記録せずにディスクに追記を行うことが出来、また、記録が停止される際に記録データの終端に繋ぎブロックを設けなくても追記が出来るので、ディスクの記録容量を有効に活用できる。
【００５７】
【発明の効果】
以上のとおり、本発明は、システムクロック発生回路から発生されるシステムクロックを記録済みの記録データのピットから再生されたビットクロックに同期する状態から徐々に基準クロックに同期する状態に切り替え、そのシステムクロックによって追記する記録データをディスクに書き込むので、ディスクへの追記による記録データの繋ぎの前後で、記録データがクロック成分の急激な乱れを含んで記録されることが防止され、追記された記録データの繋ぎの前後を再生した際の再生エラーを低減することが出来、特に、システムクロック発生回路を１系統のＰＬＬ回路により構成しており、システムクロックをビットクロックに同期する状態から徐々に基準クロックに同期する状態に切り替えることがその構成を簡単にして達成される。
【００５８】
この場合、追記の開始後にＰＬＬ回路が読み取りデータから抽出されるビットクロックに同期する状態から基準クロックに同期する状態にロックすると、第２選択回路が切り替えられてシステムクロック発生回路から発生されるシステムクロックがＰＬＬ回路を介した基準クロックからＰＬＬ回路を介さない基準クロックに切り替えられるので、システムクロックをビットクロックから基準クロックに同期する状態に円滑に切り替えた後に、このシステムクロックをＰＬＬ回路により生じるジッター成分の影響を受けない基準クロックに同期させることが出来る。
【図面の簡単な説明】
【図１】本発明に係るディスク記録装置を実現する一例としてＣＤ−Ｒドライブの一実施例を示す回路ブロック図である。
【図２】本発明の主要回路であるシステムクロック発生回路２５の詳細な構成を示す回路ブロック図である。
【符号の説明】
１          光学ヘッド
２          ＲＦアンプ
３          ヘッドサーボ回路
４          ＣＤ−ＤＡデコーダ
８          ＣＤ−ＲＯＭデコーダ
９          インタフェース
１１          エンコーダ
１４          ヘッド出力制御回路
１６          バッファＲＡＭ
１７          ウォブルデコーダ
１８          ＡＴＩＰ復調回路
１９          システム制御回路
２２          記録判断手段
２３          記録開始位置検出手段
２４          同期設定手段
２５          システムクロック発生回路
２６          基準クロック発生回路
２７          クロック切替手段
２８          第１選択回路
２９          ＶＣＯ
３０          位相比較器
３１          ＬＰＦ
３２          第２選択回路
【図１】
0003877479.tif 000002
【図２】
0003877479.tif 000003